(57)【要約】      （修正有）【課題】母親が子供の歯を磨く時や、介護者が被介護者の歯を磨く時、歯肉部分などを傷つける可能性が少ない歯ブラシを提供する。【解決手段】厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）で規定される弾性力が１００〜５００ｇ／ｃｍ２である素材からなるＵ字体２の内面に植毛されてなるブラシ形成部４と、前記Ｕ字体２より硬質の柄部５とにより、歯の前面、背面、噛み合わせ面を同時に磨く歯ブラシを構成する。【選択図】図１
0003154991.tif 000002
【実用新案登録請求の範囲】
【請求項１】
弾性力が１００〜５００ｇ／ｃｍ２である素材からなるＵ字体の内面に植毛されてなるブラシ形成部と、前記Ｕ字体より硬質の柄部とからなる歯の前面、背面、噛み合わせ面を同時に磨く歯ブラシ。但し、弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。
【請求項２】
弾性力が１００〜５００ｇ／ｃｍ２である素材からなるＵ字体の内面に、Ｕ字体と同一素材からなるブラシが一体的に形成されてなるブラシ形成部と、前記Ｕ字体より硬質の柄部とからなる歯の前面、背面、噛み合わせ面を同時に磨く歯ブラシ。但し、弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。
【考案の詳細な説明】
【技術分野】
【０００１】  本考案は、弾力性が１００〜５００ｇ／ｃｍ２である素材からなるＵ字体の内面に植毛されるか、Ｕ字体と同一素材からなるブラシが一体的に形成されてなるブラシ形成部と、前記Ｕ字体より硬質の柄部とからなる歯の前面、背面、噛み合わせ面を同時に磨く歯ブラシ。但し弾力性は、厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。
【背景技術】
【０００２】  従来より、歯の前面、背面、噛み合わせ面を同時に磨くことができる歯ブラシとしては、実開平１−１１０６１９号公報（以下「文献１」と称す）や登録実用新案第３０１０３０６号公報（以下「文献２」と称す）などに記載されたものが知られている。しかしながら、これら従来の歯ブラシは、実用化されていない単なるアイディアに過ぎないものであった。ブラシ部は歯並びに一致するように湾曲した帯状の湾曲板２枚を平行になるように連結し、２枚の湾曲板と支持板に植毛したものである。しかしながら、人の歯並び（歯並びの湾曲度合い等）は個人個人で異なるため、画一的な規格で大量生産ができないものである。【０００３】  そのため、現実に日用雑貨品の販売店、薬局などにも上記した文献１に記載されたような歯ブラシは販売されていなかったのである。また、文献２には歯並びに一致する湾曲板を使用したものの他に、ブラシ部分がやや短めで湾曲した歯ブラシや、湾曲しておらず、支持板を有していないブラシ部（歯の前面と背面のみを磨くブラシ部）を有する歯ブラシが開示されているが、これらについても現実に販売されてはいないものである。【０００４】  一般的に使用されている歯ブラシは、ブラシ植毛部と柄部とが同じ素材で一体的に形成されているものであった。したがって、幼い子供の歯磨きを大切に思っている母親は、膝の上に子供を抱き寄せて、その口の中をのぞき込むようにして、ブラッシング中にブラシが歯から外れて歯肉に当たって、子供に痛い思いをさせたり、歯肉を傷つけたりしないように注意しながら、歯の前面と背面および噛み合わせ面を磨くことは、難しい作業であった。【０００５】  一方、成人であっても、自力で自分の歯を磨くことができない事情がある人（介護を受ける人）の場合は、介護する人や、介護を手助けしようとする人にとっては、前述の子供の場合と同様に、他の人の歯の前面・背面・噛み合わせ面を食事後、就寝前にきれいに磨き清潔に保ってあげるという作業は、きわめて難しいものであった。
【考案の開示】
【考案が解決しようとする課題】
【０００６】  幼い子供や介護を受ける要介護者と、介護および介護の手助けをする側の介護者の双方にとって、歯の前面、背面、噛み合わせ面をきれいに磨き清潔にすることは、一見簡単にできるように思われるが、非常に難しく、手間のかかる作業であり、幼い子供を持つ母親や、介護者の負担を軽減することができ、容易にしかも清潔に磨ける歯ブラシが望まれているものである。
【課題を解決するための手段】
【０００７】  本考案の歯ブラシ（１）は、弾力性のある素材からなるＵ字体（２）の内面に植毛（３）されるか又はＵ字体と同一素材からなるブラシが一体的に形成されてなるブラシ形成部（４）と、前記Ｕ字体より硬質の柄部（５）とからなり、歯の前面、背面、噛み合わせ面を誰でも容易に、しかも確実に、同時に磨くことのできる歯ブラシである。【０００８】  弾力性のある素材からなるＵ字体とは、肉厚３ｍｍで高さ１７．５ｍｍ、外幅１２ｍｍ、内幅６ｍｍで、長さ２４ｍｍのＵ字体であって、開口部に直径１０ｍｍで長さ２４ｍｍのステンレス製柱状体に荷重を加えて、ステンレス柱状体がＵ字体の内底面まで押し込まれた時の荷重が１００〜５００ｇ／ｃｍ２であるものをいう。【０００９】  上記したような素材としては、アクリルゴム、アクリロニトリルブタジエンゴム、イソプレンゴム、ウレタンゴム、エチレンプロピレンゴム、エピクロルヒドリンゴム、クロロプレンゴム、スチレンブタジエンゴム、ブタジエンゴム、フッ素ゴム、ポリイソブチレンゴムなどのゴム状弾性体や、スチレン系熱可塑性エラストマー、水添ＳＢＳブロックポリマー、オレフィン系熱可塑性エラストマー、ジエン系エラストマー、ウレタン系エラストマー、可塑化高弾性ポリ塩化ビニル等のエラストマーが使用できる。【００１０】  弾力性のある素材からなるＵ字体に取り付ける柄部（５）は、Ｕ字体のように弾力性のある素材では変形しやすく、効果的な歯磨きが難しくなるので、Ｕ字体よりも硬質な素材で形成されるものである。天然木、計量金属素材、合成樹脂などが使用できるが、塩化ビニル樹脂、ポリエチレン樹脂（低密度掘りエチレン、中密度ポリエチレン、高密度ポリエチレンを含む）、ポリプロピレン樹脂、ポリスチレン樹脂、アクリロニトリル−ブタジエン−スチレン樹脂（ＡＢＳ樹脂）、アクリル樹脂、フェノール樹脂、エポキシ樹脂、メラミン樹脂、尿素樹脂、ナイロン樹脂、ポリエステル樹脂、ポリウレタン、ポリイミド樹脂、ポリアミド樹脂、ポリアセタール樹脂、ポリカーボネート樹脂、アルキッド樹脂などの合成樹脂からなる硬質のものが好ましい。【００１１】  柄部（５）をＵ字体に取り付けるには、柄部（５）の先端部（５’）を柄の把持部より漸次細く形成し、図３に示すように取り付ければ良いものである。【００１２】  本発明のＵ字体に植毛するブラシ用毛材に使用される合成樹脂素材については、特に限定はされず、例えば、ポリカプラミド、ポリヘキサメチレンアジパミド、ポリヘキサメチレンセバカミド（以下、ナイロン６１０と言う）、ポリヘキサメチレンドデカミド、ナイロン４６、ナイロンＭＤＸ６、ナイロン１１、ナイロン１２、ポリ（カプラミド／ヘキサメチレンアジパミド）共重合体およびポリ（カプラミド／ラウラミド）共重合体などのポリアミド系樹脂、ポリエチレンテレフタレート（以下、ＰＥＴと言う）、ポリブチレンテレフタレート（以下、ＰＢＴと言う）、ポリエチレンナフタレート、ポリプロピレンテレフタレート（以下、ＰＴＴと言う）、ポリメチレンナフタレート、ポリブチレンナフタレート、ポリプロピレンナフタレートなどのポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、ポリオレフィン系樹脂などから１種類または２種類以上を適宜選択して使用することができる。【００１３】  なかでも強伸度、収縮率および屈曲回復性などの各種物性を均衡に兼ね備えたブラシ用毛材が得られやすいことから、ポリアミド系樹脂、ポリエステル系樹脂およびフッ素系樹脂から選ばれた少なくとも一種の使用がより好ましい。【００１４】  もちろん合成樹脂素材以外に天然素材として、馬毛、豚毛、山羊毛などの動物性繊維も使用することができるものである。天然素材としての動物性繊維は、適度なコシがあり、歯茎を傷つけることも少なく、ブラシ素材としては良好なものである。【００１５】  さらにまた、ブラシ用毛材には、本発明の効果を阻害しない範囲であれば、その目的に応じて、各種無機微粒子、各種金属微粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加することも可能である。【００１６】  また、本発明のブラシ用毛材１には、例えば、銀イオンを担持させたリン酸塩系、ゼオライト系、ヒドロキシアパタイト系抗菌剤のほか、酸化亜鉛、硫酸亜鉛、塩化亜鉛、リン酸亜鉛、硝酸亜鉛、炭酸亜鉛、酢酸亜鉛、シュウ酸亜鉛、クエン酸亜鉛、フマル産亜鉛、ギ酸亜鉛などの亜鉛化合物、ベンゼトニウム、ベンザルコニウム、セチルピリジウム、クロルヘキシジンなどのカチオン系抗菌剤、エピガロカテキン、エピガロカテキンガレート、エピカテキン、エピカテキンガレートなどの茶カテキン、アナターゼ型またはルチル型二酸化チタンなどの光触媒を付着および／または含有せしめて抗菌効果を付与することもできる。
【考案の効果】
【００１７】  本考案の歯ブラシは、厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）で規定される弾性力が１００〜５００ｇ／ｃｍ２である素材からなるＵ字体の内面に植毛されてなるブラシ形成部と、前記Ｕ字体より硬質の柄部とからなるので、前歯を磨くときは図４に示すようにＵ字体の幅が狭く、前歯の前面、背面、噛み合わせ面（先鋭になっているために磨く面は極めて少ない）を同時に、効率よく磨けるものである。また、奥歯を磨くときには、図５に示すようにＵ字体が弾力性を有しているので、前歯から奥歯に向かうに従ってＵ字体の溝部分が広がり、奥歯の前面、背面、噛み合わせ面を効率よく磨けるものである。したがって、前歯から奥歯に向かって磨くときも、奥歯から前歯に向かって磨くときも、歯の前面、背面、噛み合わせ面に密着してきれいに磨くことができるものである。またＵ字体が弾力性を有しているので、間違ってＵ字体部分が歯から外れて、歯肉にぶつかっても、歯肉部分などを傷つけることもなく、母親が子供の歯を磨くことが、極めて容易に、しかも安全にできるものである。介護者が被介護者の歯を磨くときも同様に、極めて容易に、しかも安全にできるものである。
【図面の簡単な説明】
【００１８】
【図１】本発明の歯ブラシの一例を示す斜視図である。
【図２】本発明の歯ブラシの一例を示す平面図である。
【図３】本発明の歯ブラシの一例を示す断面図である。
【図４】本発明の歯ブラシで前歯を磨くときの説明図である。
【図５】本発明の歯ブラシで奥歯を磨くときの説明図である。
【符号の説明】
【００１９】１・・・歯ブラシ
２・・・Ｕ字体
３・・・植毛
４・・・ブラシ形成部
５・・・柄部
５’・・柄先端部
６・・・前歯
７・・・奥歯
８・・・歯肉
【図１】
0003154991.tif 000003
【図２】
0003154991.tif 000004
【図３】
0003154991.tif 000005
【図４】
0003154991.tif 000006
【図５】
0003154991.tif 000007
【手続補正書】
【提出日】平成21年5月30日(2009.5.30)
【手続補正１】
【補正対象書類名】実用新案登録請求の範囲
【補正対象項目名】請求項１
【補正方法】変更
【補正の内容】
【請求項１】
弾力性（但し、前記弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。）が１００〜５００ｇ／ｃｍ２である素材からなるＵ字体の内面に植毛されてなるブラシ形成部と、前記Ｕ字体より硬質の柄部とからなる歯の前面、背面、噛み合わせ面を同時に磨く歯ブラシ。
【手続補正２】
【補正対象書類名】実用新案登録請求の範囲
【補正対象項目名】請求項２
【補正方法】変更
【補正の内容】
【請求項２】
弾力性（但し、前記弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。）が１００〜５００ｇ／ｃｍ２である素材からなるＵ字体の内面に、Ｕ字体と同一素材からなるブラシが一体的に形成されてなるブラシ形成部と、前記Ｕ字体より硬質の柄部とからなる歯の前面、背面、噛み合わせ面を同時に磨く歯ブラシ。
【手続補正３】
【補正対象書類名】明細書
【補正対象項目名】０００１
【補正方法】変更
【補正の内容】
【０００１】本考案は、弾力性（但し、前記弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。）が１００〜５００ｇ／ｃｍ２である素材からなるＵ字体の内面に植毛されるか、Ｕ字体と同一素材からなるブラシが一体的に形成されてなるブラシ形成部と、前記Ｕ字体より硬質の柄部とからなる歯の前面、背面、噛み合わせ面を同時に磨く歯ブラシに関する。
【手続補正書】
【提出日】平成21年8月5日(2009.8.5)
【手続補正１】
【補正対象書類名】実用新案登録請求の範囲
【補正対象項目名】全文
【補正方法】変更
【補正の内容】
【実用新案登録請求の範囲】
【請求項１】
弾性力（ただし、前記弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。）が１００〜５００ｇ／ｃｍ２である素材からなるＵ字体の内面に植毛されてなるブラシ形成部と、前記Ｕ字体より硬質の柄部とからなる歯の前面、背面、噛み合わせ面を同時に磨く歯ブラシ。
【請求項２】
弾性力（ただし、前記弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。）が１００〜５００ｇ／ｃｍ２である素材からなるＵ字体の内面に、Ｕ字体と同一素材からなるブラシが一体的に形成されてなるブラシ形成部と、前記Ｕ字体より硬質の柄部とからなる歯の前面、背面、噛み合わせ面を同時に磨く歯ブラシ。
【手続補正２】
【補正対象書類名】明細書
【補正対象項目名】０００１
【補正方法】変更
【補正の内容】
【０００１】本考案は、弾性力（但し、前記弾性力は厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）である。）が１００〜５００ｇ／ｃｍ２である素材からなるＵ字体の内面に植毛されるか、Ｕ字体と同一素材からなるブラシが一体的に形成されてなるブラシ形成部と、前記Ｕ字体より硬質の柄部とからなる歯の前面、背面、噛み合わせ面を同時に磨く歯ブラシに関する。
【手続補正３】
【補正対象書類名】明細書
【補正対象項目名】０００７
【補正方法】変更
【補正の内容】
【０００７】本考案の歯ブラシ（１）は、弾性力のある素材からなるＵ字体（２）の内面に植毛（３）されるか又はＵ字体と同一素材からなるブラシが一体的に形成されてなるブラシ形成部（４）と、前記Ｕ字体より硬質の柄部（５）とからなり、歯の前面、背面、噛み合わせ面を誰でも容易に、しかも確実に、同時に磨くことのできる歯ブラシである。
【手続補正４】
【補正対象書類名】明細書
【補正対象項目名】０００８
【補正方法】変更
【補正の内容】
【０００８】弾性力のある素材からなるＵ字体とは、肉厚３ｍｍで高さ１７．５ｍｍ、外幅１２ｍｍ、内幅６ｍｍで、長さ２４ｍｍのＵ字体であって、開口部に直径１０ｍｍで長さ２４ｍｍのステンレス製柱状体に荷重を加えて、ステンレス柱状体がＵ字体の内底面まで押し込まれた時の荷重が１００〜５００ｇ／ｃｍ２であるものをいう。
【手続補正５】
【補正対象書類名】明細書
【補正対象項目名】００１０
【補正方法】変更
【補正の内容】
【００１０】弾性力のある素材からなるＵ字体に取り付ける柄部（５）は、Ｕ字体のように弾性力のある素材では変形しやすく、効果的な歯磨きが難しくなるので、Ｕ字体よりも硬質な素材で形成されるものである。天然木、計量金属素材、合成樹脂などが使用できるが、塩化ビニル樹脂、ポリエチレン樹脂（低密度ポリエチレン、中密度ポリエチレン、高密度ポリエチレンを含む）、ポリプロピレン樹脂、ポリスチレン樹脂、アクリロニトリル−ブタジエン−スチレン樹脂（ＡＢＳ樹脂）、アクリル樹脂、フェノール樹脂、エポキシ樹脂、メラミン樹脂、尿素樹脂、ナイロン樹脂、ポリエステル樹脂、ポリウレタン、ポリイミド樹脂、ポリアミド樹脂、ポリアセタール樹脂、ポリカーボネート樹脂、アルキッド樹脂などの合成樹脂からなる硬質のものが好ましい。
【手続補正６】
【補正対象書類名】明細書
【補正対象項目名】００１７
【補正方法】変更
【補正の内容】
【００１７】本考案の歯ブラシは、厚み３ｍｍ、幅６ｍｍ、深さ１４．５ｍｍの溝を有し、長さ２４ｍｍのＵ字柱を使用し、Ｕ字柱の開口部に直径１０ｍｍで長さ２４ｍｍのステンレス製円柱体を押し込み、Ｕ字柱の底面まで押し込まれたときの加重（ｇ／ｃｍ２）で規定される弾性力が１００〜５００ｇ／ｃｍ２である素材からなるＵ字体の内面に植毛されてなるブラシ形成部と、前記Ｕ字体より硬質の柄部とからなるので、前歯を磨くときは図４に示すようにＵ字体の幅が狭く、前歯の前面、背面、噛み合わせ面（先鋭になっているために磨く面は極めて少ない）を同時に、効率よく磨けるものである。また、奥歯を磨くときには、図５に示すようにＵ字体が弾性力を有しているので、前歯から奥歯に向かうに従ってＵ字体の溝部分が広がり、奥歯の前面、背面、噛み合わせ面を効率よく磨けるものである。したがって、前歯から奥歯に向かって磨くときも、奥歯から前歯に向かって磨くときも、歯の前面、背面、噛み合わせ面に密着してきれいに磨くことができるものである。またＵ字体が弾性力を有しているので、間違ってＵ字体部分が歯から外れて、歯肉にぶつかっても、歯肉部分などを傷つけることもなく、母親が子供の歯を磨くことが、極めて容易に、しかも安全にできるものである。介護者が被介護者の歯を磨くときも同様に、極めて容易に、しかも安全にできるものである。